(57)【要約】【課題】  大がかりな装置を設置することなく、屋外等から飛翔昆虫を誘引する原因となる室内空間内の紫外線及び臭気を低減させ、さらに、室内空間を、誘引殺虫剤等の薬品を使用しなくても、飛翔昆虫の成育しにくい環境にできる飛翔昆虫の誘引防止方法とその装置を提供することを目的とする。【解決手段】  室内空間３内の照明器具１の発光部位12に被覆されるＵＶ遮断体５と、室内空間３内にオゾンガス７を充満させるオゾンガス発生器４と、を備えている。そして、室内空間３が有人時には、充満したオゾンガス７の濃度を0.1ppm以下に保持し、一方、無人時には、充満したオゾンガス７の濃度を0.2ppm乃至2.5ppmに保持する。【選択図】  図１
2005052123.tif 000002
【特許請求の範囲】
【請求項１】
室内空間（３）内の照明器具（１）の発光部位（12）をＵＶ遮断体（５）にて被覆し、かつ、上記室内空間（３）内にオゾンガス発生器（４）を設置して、オゾンガス（７）を上記室内空間（３）内に充満させることを特徴とする飛翔昆虫の誘引防止方法。
【請求項２】
上記室内空間（３）が有人時には、充満したオゾンガス（７）の濃度を0.1ppm以下に保持し、一方、無人時には、充満した上記オゾンガス（７）の濃度を0.2ppm乃至2.5ppmに保持する請求項１記載の飛翔昆虫の誘引防止方法。
【請求項３】
室内空間（３）内の照明器具（１）の発光部位（12）に被覆されるＵＶ遮断体（５）と、
上記室内空間（３）内にオゾンガス（７）を充満させて消臭を行うオゾンガス発生器（４）と、を備えたことを特徴とする飛翔昆虫の誘引防止装置。
【請求項４】
上記室内空間（３）が有人時には、充満したオゾンガス（７）の濃度を0.1ppm以下に保持し、一方、無人時には、充満した上記オゾンガス（７）の濃度を0.2ppm乃至2.5ppmに保持する請求項３記載の飛翔昆虫の誘引防止装置。
【発明の詳細な説明】
【技術分野】
【０００１】
本発明は、飛翔昆虫の誘引防止方法とその装置に関するものである。
【背景技術】
【０００２】
従来、飛翔昆虫の誘引防止方法として、建物外等、飛翔昆虫が生育する環境に於て殺虫スプレーを飛翔昆虫へ噴霧して駆除するものや、または、建物内へ侵入した飛翔昆虫に殺虫スプレーを噴霧して、駆除して、その死骸を清掃する方法が知られている（例えば、特許文献１）。
【特許文献１】特開平１１−１３７１５７号公報
【発明の開示】
【発明が解決しようとする課題】
【０００３】
この従来の飛翔昆虫の誘引防止方法で使用する殺虫スプレーは、食品関係の工場や倉庫，レストラン等で使用すると、食品を介して人体に有害な影響を与える虞れがある。
また、室内空間に侵入した飛翔昆虫が、死骸になって食品中に入り込む虞れがあり、消費者や客に嫌悪感・不潔感を与えてしまう。
【０００４】
そこで、本発明の飛翔昆虫の誘引防止方法とその装置の目的は、屋外等から飛翔昆虫を誘引する原因となる紫外線及び臭気を、室内空間内に於て低減させ、さらに、殺虫剤等の薬品を使用せずに、室内空間を飛翔昆虫の成育しにくい環境にすることにある。
【課題を解決するための手段】
【０００５】
上記の目的を達成するために、本発明に係る飛翔昆虫の誘引防止方法は、室内空間内の照明器具の発光部位をＵＶ遮断体にて被覆し、かつ、上記室内空間内にオゾンガス発生器を設置して、オゾンガスを上記室内空間内に充満させる。
また、上記室内空間が有人時には、充満したオゾンガスの濃度を0.1ppm以下に保持し、一方、無人時には、充満した上記オゾンガスの濃度を0.2ppm乃至2.5ppmに保持する。
【０００６】
また、本発明に係る飛翔昆虫の誘引防止装置は、室内空間内の照明器具の発光部位に被覆されるＵＶ遮断体と、上記室内空間内にオゾンガスを充満させて消臭を行うオゾンガス発生器と、を備えている。
また、上記室内空間が有人時には、充満したオゾンガスの濃度を0.1ppm以下に保持し、一方、無人時には、充満した上記オゾンガスの濃度を0.2ppm乃至2.5ppmに保持する。
【発明の効果】
【０００７】
本発明は、次のような著大な効果を奏する。
【０００８】
飛翔昆虫を誘引する原因となる紫外線と臭気を、室内空間内において低減することができるので、飛翔昆虫は室内空間に誘引されなくなる。
よって、室内空間内に飛翔昆虫が（ほとんど）侵入しないので、死骸となって食品に混入する虞れがなくなり、消費者や客に、嫌悪感や不潔感を与えることがない。
【０００９】
また、食品を扱う工場，倉庫やレストラン等の建物では、殺虫剤を使用する飛翔昆虫の駆除方法は、食品を介して消費者や客に有害となり不適切であるが、本発明の誘引防止装置を設置することで、室内空間内に飛翔昆虫が（ほとんど）侵入しないので、（人体に有害となる虞れのある）殺虫剤を使用する必要がなく、好都合である。
【発明を実施するための最良の形態】
【００１０】
図１に示したように、建物11の外部の屋外９では、蛾，蚊等の飛翔昆虫６…が生育し飛翔している。また、３は、上記飛翔昆虫６…が窓８や、ドア17と壁の隙間等からの侵入を防ぎたい建物11の室内空間である。
建物11は、食品関係の工場や倉庫，レストラン等で、飛翔昆虫６…が死骸として食品に混入すると、消費者や客は多大な嫌悪感や不潔感を受ける。
室内空間３に存在する臭気と、室内空間３に設置された照明器具１の発光部位12から出される紫外線２は、飛翔昆虫６を誘引する作用を有する。
【００１１】
上記の室内空間３内に、飛翔昆虫６…の室内空間３内への誘引を防ぐ誘引防止装置13が、取り付けられる。
誘引防止装置13は、室内空間３内にオゾンガス７を充満させるオゾンガス発生器４と、照明器具１の発光部位12に被覆されるＵＶ遮断体５と、を備える。
【００１２】
オゾンガス発生器４は、上記室内空間３内のどこに設けられてもよいが、天井や壁等の高所に設けられると、室内空間３の隅々にオゾンガス７は行き渡りやすい。
また、オゾンガス発生器４は（図示省略の）ファンが組み込まれており、オゾンガス７を充満させ、室内空間３内の隅々まで脱臭・殺菌することが可能である。
オゾンガス７は、強い酸化作用及び脱臭作用をなし、分解してすぐに酸素に戻る物質である。
【００１３】
ここで、オゾンガス発生器４から発生するオゾンガス７の濃度を調整可能とし、室内空間３が有人時には、充満したオゾンガス７の濃度を0.1ppm以下に保持して、一方、無人時には、充満したオゾンガス７の濃度を0.2ppm乃至2.5ppmに保持する。
この調整を可能とするには、オゾンガス発生器４と（室内空間３の容積に応じた長さの）作動ＯＮ・ＯＦＦ時間を設定できるタイマーが好適であり、または、オゾン濃度測定器とスイッチとを設けて、オゾンガス発生器４と電気的に接続する。
有人時に、室内空間３のオゾンガス７の濃度が0.1ppmを超えると、人体に対し有害となる虞れがある。
また、0.2ppm未満であると脱臭効果が少ないので、無人時に発生させる濃度としては低いため有効ではなく、2.5ppmを超えると、オゾンガス７が室内空間３内の食品を酸化させ、腐敗を促進させる（損傷を与える）虞れがある。
【００１４】
図２，図３に示したように、照明器具１は、紫外線２を発生する蛍光灯や水銀灯等であり、これらの照明器具１の発光部位12は、ＵＶ遮断体５である紫外線カットチューブ15に挿嵌される。ＵＶ遮断体５は他にも様々なものがあり、紫外線２を遮断する機能を有する塗料を、照明器具１の発光部位12に塗布するのもよい。
【００１５】
以上のように、本発明の飛翔昆虫の誘引防止方法は、室内空間３内の照明器具１の発光部位12をＵＶ遮断体５にて被覆し、かつ、室内空間３内にオゾンガス発生器４を設置して、オゾンガス７を室内空間３内に充満させるものであるので、飛翔昆虫６を誘引する原因となる臭気を低減することができると共に、飛翔昆虫６を誘引する原因となる紫外線２が、照明器具１の発光部位12から室内空間３内へ放出するのを、遮断することができる。
よって、室内空間３内に飛翔昆虫６が侵入しないので、死骸となって、食品に混入する虞れもなくなり、消費者や客に、嫌悪感や不潔感を与えることがない。
【００１６】
また、上記の方法は、室内空間３が有人時には、充満したオゾンガス７の濃度を0.1ppm以下に保持し、一方、無人時には、充満したオゾンガス７の濃度を0.2ppm乃至2.5ppmに保持するものであるので、有人時には、人体がオゾンガス７から有害な影響を受けることはなく、かつ、無人時には、有効かつ確実に脱臭を行うことができ、しかも、食品を酸化させ腐敗させてしまう（損傷を与える）虞れはない。
そして、濃度を切り換えることで、オゾンガス７を、（有人時でも無人時でも）常時、室内空間３内に充満させることができるので、脱臭を常時行うことができ好都合である。  
【００１７】
また、室内空間３内の照明器具１の発光部位12に被覆されるＵＶ遮断体５と、室内空間３内にオゾンガス７を充満させるオゾンガス発生器４と、を備えた装置であるので、飛翔昆虫６…を誘引する原因となる紫外線２と臭気を、室内空間３内において低減することができると共に、飛翔昆虫６を誘引する原因となる紫外線２が、照明器具１の発光部位12から室内空間３内へ放出するのを、遮断することができる。
よって、室内空間３内に飛翔昆虫６が侵入しないので、死骸となって、食品に混入する虞れもなくなり、消費者や客に、嫌悪感や不潔感を与えることがない。
【００１８】
また、食品を扱う工場，倉庫やレストラン等の建物11では、殺虫剤を使用する飛翔昆虫６…の駆除方法は、食品を介して消費者や客に有害であり不適切であるが、上記建物11の室内空間３内に、本発明の誘引防止装置13を設置すれば、室内空間内に飛翔昆虫が侵入しないので、（人体に有害となる虞れのある）殺虫剤を使用する必要がなく、好都合である。
【図面の簡単な説明】
【００１９】
【図１】本発明の飛翔昆虫の誘引防止装置の実施の一形態を示す側面図である。
【図２】照明器具の発光部位にＵＶ遮断体を被覆する状態を示す斜視図である。
【図３】ＵＶ遮断体を被覆した照明器具を示す側面図である。
【符号の説明】
【００２０】
１  照明器具
２  紫外線
３  室内空間
４  オゾンガス発生器
５  ＵＶ遮断体
７  オゾンガス
12  発光部位
【図１】
2005052123.tif 000003
【図２】
2005052123.tif 000004
【図３】
2005052123.tif 000005